【手続補正書】
【提出日】平成21年10月7日(2009.10.7)
【手続補正１】
【補正対象書類名】特許請求の範囲
【補正対象項目名】全文
【補正方法】変更
【補正の内容】
【特許請求の範囲】
【請求項１】
パケット交換通信システムにおいて１つのノードと少なくとも１つの他のノードとの間の通信品質を制御する方法において、
上記ノードのうちの１つにおいて通信品質が許容可能なしきい値を下回ることを示す状態を検出するステップと、
上記検出された状態に基づいて、上記通信品質を改善する改善方法を提供するための指示であって上記少なくとも１つのノードのユーザへの指示を自動的に生成するステップと、
上記少なくとも１つのノードのユーザから上記指示に応答して上記改善方法を実行するための入力信号を受信し、これにより上記通信品質を改善するステップとを含む方法。
【請求項２】
上記ノードはユーザ端末である請求項１記載の方法。
【請求項３】
上記指示は上記端末のユーザに提供される請求項２記載の方法。
【請求項４】
上記指示は上記ユーザによって実行される請求項１乃至３のうちのいずれか１つに記載の方法。
【請求項５】
上記ユーザ端末はプロセッサを含む請求項１記載の方法。
【請求項６】
上記状態は上記通信の間の上記プロセッサの使用に関連する請求項５記載の方法。
【請求項７】
上記ユーザは、上記プロセッサ上で実行されているアプリケーションであって上記通信の処理に関わっていない任意のアプリケーションを終了させるように指示される請求項６記載の方法。
【請求項８】
上記状態は上記通信の間のラウンドトリップ時間に関連する請求項５記載の方法。
【請求項９】
上記ユーザは、上記プロセッサ上で実行されているアプリケーションであって上記通信の処理に関わっていない任意のアプリケーションを終了させるように指示される請求項８記載の方法。
【請求項１０】
上記ユーザは、上記通信への接続を切断し再接続するように指示される請求項８記載の方法。
【請求項１１】
上記状態は、上記通信において送信されるデータパケットから失われるデータパケットの程度に関連する請求項１記載の方法。
【請求項１２】
上記ユーザはインターネットからのダウンロードを停止するように指示される請求項８又は１１記載の方法。
【請求項１３】
上記状態は上記通信において用いられるルータのタイプに関連する請求項１記載の方法。
【請求項１４】
上記第１のノードは無線リンクを介してネットワークに接続される請求項１記載の方法。
【請求項１５】
上記第１のノード及び上記少なくとも１つの他のノードは同一のネットワークに接続される請求項１記載の方法。
【請求項１６】
上記第１のノード及び上記少なくとも１つの他のノードは異なるネットワークに接続される請求項１記載の方法。
【請求項１７】
上記状態は上記無線リンクの信号強度に関連する請求項１４記載の方法。
【請求項１８】
上記ユーザは、上記信号を供給するルータに上記端末を近づけるように指示される請求項１７記載の方法。
【請求項１９】
上記状態は上記プロセッサの速度に関連する請求項１記載の方法。
【請求項２０】
上記指示は上記ユーザ端末のディスプレイ画面上に提供される請求項２記載の方法。
【請求項２１】
上記指示は音声メッセージで提供される請求項１記載の方法。
【請求項２２】
上記指示はテキストメッセージとして現れる請求項２０記載の方法。
【請求項２３】
上記指示は、上記ユーザによって指示オプションが選択された後にのみ提供される請求項３記載の方法。
【請求項２４】
上記指示は、上記状態が検出されるとすぐに提供される請求項３記載の方法。
【請求項２５】
上記ユーザは上記指示が提供されるか否かを選択することができる請求項３記載の方法。
【請求項２６】
第１のノードにおいて状態が検出されるときに、上記少なくとも１つの他のノードにおいて、悪い通話品質状態を示す情報が提供される請求項１記載の方法。
【請求項２７】
パケット交換通信システムにおけるユーザ端末において、
上記ユーザ端末は、上記通信システムにおける少なくとも１つの他の端末に対して通信を実行するための手段を有し、
上記ユーザ端末は、
上記ノードのうちの１つにおいて通信品質が許容可能なしきい値を下回ることを示す状態を検出するための手段と、
上記検出される状態に基づいて、上記通信品質を改善する改善方法を提供するための指示であって上記少なくとも１つのノードのユーザへの指示を自動的に生成するための手段と、
上記少なくとも１つのノードのユーザから上記指示に応答して上記改善方法を実行するための入力信号を受信し、これにより上記通信品質を改善するための手段とを備えたユーザ端末。
【請求項２８】
プロセッサを含む請求項２７記載の端末。
【請求項２９】
上記状態は上記通信の間の上記プロセッサの使用に関連する請求項２８記載の端末。
【請求項３０】
上記受信する手段は、上記プロセッサ上で実行されているアプリケーションであって上記通信の処理に関わっていない任意のアプリケーションを終了させる指示を受信するように構成された請求項２９記載の端末。
【請求項３１】
ルータを含み、上記状態は上記通信に用いられるルータのタイプに関連する請求項２７記載の端末。
【請求項３２】
上記通信を実行する無線リンクを備え、上記状態は上記無線リンクの信号強度に関連する請求項２７乃至３１のうちのいずれか１つの請求項記載の端末。
【請求項３３】
上記指示は上記ユーザ端末のディスプレイ画面上に提供される請求項２７乃至３２のうちのいずれか１つの請求項記載の端末。
【請求項３４】
コンピュータによって実行されるときに請求項１乃至２６のうちのいずれか１つの請求項の方法に係るステップを実行するプログラムコード手段を備えたコンピュータプログラム。
【手続補正２】
【補正対象書類名】明細書
【補正対象項目名】０１２８
【補正方法】変更
【補正の内容】
【０１２８】
ステップＳ６では、リモートのＮＡＴのタイプが不適切であるか否かが決定される。不適切であれば、アルゴリズムはステップＳ７へ続く。
【手続補正３】
【補正対象書類名】明細書
【補正対象項目名】０１３６
【補正方法】変更
【補正の内容】
【０１３６】
ステップＳ１０では、リモートのＮＡＴのタイプが不適切であるか否かが決定される。不適切であれば、アルゴリズムはステップＳ１１へ続く。リモートのＮＡＴは、通話に関わっている通信相手のインターネット接続におけるＮＡＴであるのに対して、ローカルなＮＡＴはローカルなコンピュータに存在する。
【手続補正４】
【補正対象書類名】明細書
【補正対象項目名】０１４０
【補正方法】変更
【補正の内容】
【０１４０】
ステップＳ１２において、クライアントは、ローカルなＮＡＴのタイプ及びピアツーピアの通話の場合はリモートのＮＡＴのタイプの何れもが「テストされていない」か否かを決定する。そのようなときには、アルゴリズムはステップＳ１３へ続く。そうでなければ、アルゴリズムはステップＳ１４へ続く。
【手続補正５】
【補正対象書類名】明細書
【補正対象項目名】０１４３
【補正方法】変更
【補正の内容】
【０１４３】
ステップＳ１４において、クライアントは、ローカルな帯域幅、すなわちローカルなコンピュータのインターネット接続の帯域幅をチェックするように構成される。帯域幅が５キロバイト／秒未満であることが分かれば、この帯域幅は遅いと決定され、アルゴリズムはステップＳ１５へ続く。
【手続補正６】
【補正対象書類名】明細書
【補正対象項目名】０１５３
【補正方法】変更
【補正の内容】
【０１５３】
ステップＳ１９では、リモートのＣＰＵ、すなわち通話に関わっている通信相手のＣＰＵの速度が５００メガヘルツ未満であるか否かが決定される。そうであれば、アルゴリズムはステップＳ２０へ続く。